(57)【要約】  制御された配光の導波路が記載されている。導波路は、近位端から遠位端へ縦方向に延在する本体を含んでいる。また、本体は、第一の縦方向側上で近位端に向かって軸方向に延在する複数の散乱フランジと、複数の散乱フランジのそれぞれの間に挿入された複数の切り込みとを含む。
2017528892.tif 000002
【特許請求の範囲】
【請求項１】
近位端から遠位端へ縦方向に延在する本体を備え、
前記本体は、
第一の縦方向側で前記近位端に向かって軸方向に延在する複数の散乱フランジと、
前記複数の散乱フランジのそれぞれの間に挿入されている複数の切り込みと
を備える、制御された配光の導波路。
【請求項２】
前記複数の散乱フランジのそれぞれが前記第一の縦方向側の径方向外側に延在し、凸または凹のいずれかの形状の前記近位端に面する第一側を有する、請求項１の導波路。
【請求項３】
前記複数の散乱フランジのそれぞれが、前記遠位端に面して前記第一側に対面する第二側を有し、前記第二側は凸または凹のいずれかの形状を有する、請求項２の導波路。
【請求項４】
前記複数の散乱フランジのそれぞれが、湾曲した形状を含む部分である周辺端部へ前記第一の縦方向側の径方向外側に延在する、請求項１の導波路。
【請求項５】
前記複数の切り込みが真っ直ぐである、または湾曲している、請求項１の導波路。
【請求項６】
前記複数の切り込みが前記導波路の長さの少なくとも一部に沿って互いに等間隔で離間している、請求項１の導波路。
【請求項７】
前記近位端の切り込みが、前記遠位端の切り込みよりも、互いにさらに離れて離間している、請求項１の導波路。
【請求項８】
前記近位端の切り込みが前記遠位端の切り込みよりも浅い、請求項１の導波路。
【請求項９】
前記複数の切り込みが実質的に均一な軸の長さ（nlength）を有し、実質的に均一な傾斜角度（θ）で前記本体から径方向かつ軸方向に延在する、請求項１の導波路。
【請求項１０】
前記第一の縦方向側の反対側に第二の縦方向側をさらに備え、前記第二の径方向側は平坦である、または湾曲している、請求項１の導波路。
【請求項１１】
前記近位端に結合された照明エンジンをさらに備え、前記照明エンジンが、光源と、前記光源に結合された駆動回路とを備える、請求項１の前記光パイプを備える導波路アセンブリ。
【請求項１２】
前記複数の散乱フランジの少なくとも一つが前記近位端に対して配向の角度（θ）で配置されており、前記光源から受け取った前記光のより多くが、前記本体の前記遠位端に向かう第二方向に前記フランジで反射される、前記フランジにより散乱される、またはその両方が起こるよりも、前記本体の前記近位端へ向かう第一方向に前記フランジで反射される、前記フランジにより散乱される、またはその両方が起こる、請求項１１の導波路アセンブリ。
【発明の詳細な説明】
【技術分野】
【０００１】
本発明は、制御された配光のために構成された導波路に関する。
【背景技術】
【０００２】
光パイプは車体内部、車体の外部あるいはその両方の発光領域を含む様々な車両用途に用いられ得る。例えば、光パイプ用途には、機能的または実用的なものがあり得、他の光パイプ用途にはアクセント照明用や美的性質を持つものがあり得る。
【発明の概要】
【課題を解決するための手段】
【０００３】
開示の実施形態によれば、制御された配光用の導波路が提供される。導波路は、近位端から遠位端へ縦方向に延在する本体を含み得る。また、本体は、第一の縦方向側で近位端に向かって軸方向に延在する複数の散乱フランジと、複数の散乱フランジのそれぞれの間に挿入された複数の切り込みとを含む。
【０００４】
好ましい例示の実施形態が添付図面と共に以下に説明されるであろう。ここで、同様の符号は同様の要素を示す。
【図面の簡単な説明】
【０００５】
【図１】導波路の例示の状況の正面図である。
【図２】照明エンジンの概略図と導波路の側面図である。
【図３】導波路の複数の散乱フランジを図示する図２の部分の拡大図である。
【図４】４−４線に沿った図２の導波路の断面図である。
【図５】図２に示される散乱フランジの透視図である。
【図６】図２の導波路の部分透視底面図である。
【図７】導波路を辿った光線を示す図である。
【図８】図２に示される散乱フランジの一つからの反射および散乱を図示する概略図である。
【図９】図２に示される散乱フランジの一つからの反射および散乱を図示する概略図である。
【図１０】３つの異なる種類の導波路の性能特性の２次元の図である。
【図１１】図８の導波路の一つの性能特性の３次元の図である。
【図１２】図８の導波路の他の一つの性能特性の３次元の図である。
【発明を実施するための形態】
【０００６】
以下に、導波路（または光パイプまたは光ガイド）が説明される。導波路は、モールド成形または押出成形された本体であり得る。本体は、光を反射および／または散乱させて本体を通って反対側に光を放出するために、片側に沿って複数の切れ目を備える。より具体的には、導波路は、後方または最初の伝播が起こった側とは反対方向（すなわち、導波路に接続された光源と反対方向）に、光の実質的な部分または光の大部分でさえも散乱させ得る。以下でより詳細に述べられるであろうが、後方へ散乱させるという特性を有する導波路は、予め決められた望ましいパターンを照らし、またはより均一な照明（例えば、導波路の長さに沿って）を提供するように構成される。
【０００７】
図１は例示の状況を図示する。車両１０の正面図がいくつかの導波路１２を有して示されており、フロントウインドシールドの上方に１つの導波路が示されており、各サイドミラーアセンブリの１つずつに２つ以上の導波路が示されている。導波路は自動車用途、例えば車両のインテリアにおよび／または車両のエクステリアに用いられる。図は、自動車への実施を図示している。しかしながら、実施形態が自動車環境や自動車用途に限定されないことが理解されるであろう。例えば、導波路１２は少数の他の例示を挙げると商業用および住居用の建物または、他の建築的な用途で使用され得る。このように当業者は追加の実施も理解するであろう。
【０００８】
図２は、導波路アセンブリ２０、すなわち導波路１２に結合された照明エンジン２２の概略図を図示する。照明エンジンは、光源２４と、動力源２８と電気的に結合され得る光源に結合された駆動回路２６を備えてもよい。駆動回路は、処理装置３０、メモリー３２、あるいは両方を備えていてもよく、以下でより詳細に述べるように、導波路１２を照らすように構成されてもよい。
【０００９】
導波路１２は、長手方向（ｚ軸に沿って）に延在する本体３６を有して示されている。本体３６は、中実であってもよく、中空であってもよい。しかしながら、少なくとも１つの実施においては、導波路の本体は中実である。本体３６は少数の例示を挙げると、アクリル、ポリカーボネート（ＰＣ）および様々な透明なプラスチックを含む。少なくともいくつかの実施では、長手方向側３８（図２および３における底側に向けられている）は、光線を対向側４２から外に向けるために、反射コーティングまたは反射層４０を有していてもよい。また、他の実施では、側３８は層４０を有しない。少なくとも一つの実施では、対向側４２は平らまたは滑らかであり、例えばある実施では、側４２はｚ軸と平行である。対向側の他の実施では、側４２は凹、凸または他の適した形状を有する。
【００１０】
導波路１２は、本体３６の長手方向側３８上に、多数の散乱または反射フランジまたは指状部分５０を備えていてもよい。以下で述べられるように、指状部分５０は、光を導波路本体３６の外側へ反射および／または散乱させてもよい。ある実施では、長手方向側３８の部分５２はフランジを有していなくてもよい（例えば、本体の近位端５４により近く、遠位端５６により近く、またはその間の他の領域）。しかしながら、これはあくまでも例である。
【００１１】
散乱フランジ５０は、近位端５４に向かって径方向かつ軸方向に延在し、平らであってもよく、または湾曲していてもよい。以下で述べられるように、ある実施形態では、各フランジ５０は、類似の傾斜角度（θ）、類似の直線長さ（ｆｌｉｎｅａｒ）、類似の軸方向長さ（ｆｌｅｎｇｔｈ）、類似の径方向幅（ｆｗｉｄｔｈ）および類似の径方向深さ（ｆｄｅｐｔｈ）を有する（図２〜４を参照）。フランジ５０が湾曲しているときの実施形態では、傾斜角度（θ）はその湾曲に沿った接線で測られる。以下でさらに述べられるが、図３で、傾斜角度（θ）は、z軸（またはそれに平行な他の長手方向軸）におけるフランジの径方向の最深部領域５８から測られるように示される。図２で示されるように、径方向深さ（ｆｄｅｐｔｈ）は、本体３６の端から端までの直径（ｄ）の一部となり得る。ある実施では、径方向深さ（ｆｄｅｐｔｈ）は直径（ｄ）の３分の１よりも短いまたは３分の１と等しい。他の実施では、径方向深さ（ｆｄｅｐｔｈ）は直径（ｄ）の２分の１よりも短いまたは２分の１と等しい。もちろん、これらは単なる例であり、径方向深さが導波路の２分の１を超えるような他の実施形態もある。当業者は、より大きな径方向深さ（ｆｄｅｐｔｈ）を有するフランジが導波路本体３６に対してより大きな柔軟性を提供し得ること、および直径（ｄ）の２分の１を超えた径方向深さが本体を不適当に不安定にさせ得るということを理解するであろう。加えて、フランジの径方向深さ（ｆｄｅｐｔｈ）は、配光に影響する一つの要因となる。したがって、他の要素（例えば、傾斜角度（θ）、導波路本体３６の形状、など）によって、より深いまたはより浅い径方向深さが望ましいとされ得る。
【００１２】
散乱フランジ５０は、第一表面または近位端５４に面する側６０（例えば凸側として示される）並びに第二表面または遠位端５６に面する側６２（例えば凹側として示される）を有していてもよい（図２、３、５および６を参照）。側６０、６２は、略湾曲した形状（例えば、長手方向側３８と一致する頂上または頂点６６を有する）を有する周辺端部６４によって規定され得る。少なくとも１つの施形態では、湾曲した形状は、放射状であり得、かつすべてのフランジ５０に共通し得る。長手方向側３８（周辺端部６４によって規定される）は、放射状の実施形態について図示され、および説明されることが理解されるであろう。しかしながら、他の適した形状は、他の湾曲した、平らな、または角度のある形状を同様に含むように用いられ得る。
【００１３】
加えて、他の実施形態では、第一側６０は凹であり、かつ第二面６２は凸である。さらに他の実施形態では、第一または第二側６０、６２のうちの１つが、凹または凸の形状のいずれかを有し、一方、側６０、６２のうちの他の側は異なる形状（例えば平ら、角度のある、またはある他の特徴を有する）を有する。これらはあくまでも例であり、他の実施も可能である。
【００１４】
散乱フランジ５０のそれぞれは、切り込みまたは隙間７０によって、互いに離間し得る（図２、３、５および６を参照）。切り込み７０は、隣接した一つまたは複数のフランジ５０の形状を規定し得る。加えて、少なくとも一つの実施形態では、切り込み７０は（短いほうの）長手方向側３８から径方向内側に、かつ導波路本体３６の近位端５４から軸方向に離れて延在している。上記で説明された実施では、切り込み７０のそれぞれは、類似の軸長さ（ｎｌｅｎｇｔｈ）を有する（図３）。ある実施では、切り込み７０の軸長さ（ｎｌｅｎｇｔｈ）は、切り込みの線長さに沿って実質的に一定である（すなわち、例えば、フランジ５０が真っ直ぐであるか湾曲しているかにかかわらず、一つのフランジの側６２は隣接したフランジの側６０から等間隔で離間している）。
【００１５】
一つのフランジの凹側６０間の切り込み７０を規定する間隔が、同様に隣接するフランジの凸面６２から等間隔で離間していない他の実施形態もある。それにもかかわらず、切り込みを規定する間隔は、特定の導波路の実施形態に対して、均一であってもよく、または均一でなくてもよい。
【００１６】
導波路１２は、何らかの適切な工程（例えば、モールド成形、押出成形、など）で製造され得る。しかしながら、少なくとも一つの実施によると、導波路の本体３６は、押出成形工程によって成形される。反射層４０（もし塗布されるのであれば）は押出成形後（例えば、本体３６を浸すまたは本体３６にスプレーすることで）が塗布され得る。または、ある例では、反射層４０は、透明な材料および反射材料の両方が同時に一緒に押し出される同時押出成形工程を用いることにより形成されてもよい。このように、例えば、押出器具の形状は、長手方向側３８の湾曲したまたは放射状の形状を規定してもよい。導波路１２の本体３６が硬化しまたは十分に硬化した後で、切り込み７０は、縦方向面３８に切り込まれ得る。縦方向面３８は、散乱フランジ５０の形状を形成するまたは規定し、かつその間の軸の長さ（ｆｌｅｎｇｔｈ）および切り込みの長さ（ｎｌｅｎｇｔｈ）を規定する。一つの実施形態によると、切り込み７０はレーザーを用いることによって切り取られ、また、切り込みの軸長さ（ｎｌｅｎｇｔｈ）はレーザーの幅によって規定される。他の製造の実施形態によると、導波路１２はモールド成形で形成されてもよく、そのモールドはフランジ５０の形状と大きさを規定するという特性を有する。
【００１７】
導波路１２のある実施形態では、本体３６の直径（ｄ）は２５〜１００ミリメートル（ｍｍ）の間であってもよく、少なくとも一つの実施形態では直径（ｄ）は約３．０〜１０．０ｍｍであってもよい。導波路のある実施形態では、フランジ５０の径方向の深さ（ｆｄｅｐｔｈ）は８．３〜３３ｍｍの間であってもよく、少なくとも一つの実施形態では径方向深さ（ｆｄｅｐｔｈ）は約０．３〜５．０ｍｍであってもよい。導波路のある実施形態では、切り込み７０の軸長さ（ｆｌｅｎｇｔｈ）は０．１〜１．０ｍｍであってもよく、少なくとも一つの実施形態では、軸長さ（ｆｌｅｎｇｔｈ）は約０．２ｍｍである。当業者によって、軸長さ（ｆｌｅｎｇｔｈ）、およびその結果としてフランジ５０の間の空気の隙間を最小化することが望ましいということを理解されるであろう。加えて、ある導波路１２の実施形態では、傾斜角度（θ）は２０と７０度（°）の間であってもよい。
【００１８】
他の導波路の実施形態もある。例えば、２以上の散乱フランジ５０が異なる軸長さ（ｆｌｅｎｇｔｈ）を有していてもよい。別に記述するが、フランジ５０の間にある切り込み７０は、導波路１２の長さに沿って均等に分布していなくてもよい。切り込みの頻度（例えば、導波路本体の与えられた長さに対する）は、予め決められたまたは望ましいパターンにしたがって、より多いまたはより少ない散乱光を供給し得る。例えば、少なくとも一つの実施形態では、より均一化された配光は、切り込み７０の頻度が近位端５４から遠位端５６へ徐々にまたは漸進的に増加するような導波路１２の長さに沿って与えられる。他の例では、均一化されていない配光パターンは、導波路長に沿って多数の切り込み７０を互いにより近く集中させることで（例えば、導波路長の少なくとも一部でより高い頻度で起こる）、および、少なくとも切り込み７０のいくつかを導波路長の異なる部分に沿って互いからさらに離れて配置することで、供給され得る。
【００１９】
他の実施形態は、予め決められた配光パターン、または散乱フランジ５０の径方向深さ（ｆｄｅｐｔｈ）を同様に変化させることによる均一性を提供し得る。それにより、これはフランジの線長さ（ｆｌｉｎｅａｒ）も異ならせる。例えば、均一な配光は、近位端５４から遠位端５６へ徐々にまたは漸進的により深い切れ目（例えば、近位端５４により浅い切れ目、および遠位端５６により深い切れ目）を与え、一方、類似の軸長さ（ｆｌｅｎｇｔｈ）の散乱フランジ５０、すなわち均一な切り込みの配置を与えることにより、供給され得る。また同様に、均一でない分布は、導波路の長さに沿って、一般的により深い切れ目を有する切り込み７０のいくつかを集中させることで、かつ、一般的により浅い切れ目を有する切り込みのいくつかを集中させることで、均等な切り込みの分布を備え得る。
【００２０】
ある実施形態では、切り込みは、導波路から均一な配光を供給するために、互いに異なる間隔で配置され得る。導波路には単一の光源（例えば２４）が近位端５４に位置している。この均一な分布は、各フランジ５０における予め決められた量（例えば、約５％）の光強度の指数関数的な減少の原因となる。したがって、この実施形態では、切り込み７０の間隔は、各連続したフランジ５０の軸長さ（ｆｌｅｎｇｔｈ）と序数（ｎ１、ｎ２、ｎ３、...）との関係によって決めら得る。序数（ｎ１、ｎ２、ｎ３、...）とは、ｎ１＝１、ｎ２＝２、ｎ３＝３、などとしたときの導波路本体３６の近位端５４から測定された各連続した切り込み７０と関連する数である。例えば、各切り込み７０が近位端５４に最も近い切り込みから始まって連続して番号付けがされるすると、序数はｎ１(第一の切り込み７０）、ｎ２（第二の切り込み７０）、ｎ３（第三の切り込み７０）、などである。すべてのフランジの軸長さ（ｆｌｅｎｇｔｈ）は、次の関係によって決められることが可能となる。その関係とは、軸長さ（ｆｌｅｎｇｔｈ）＝ｅ＾（−ｎ＊β）であり、ここでβを減衰係数（β）（例えば５％または０．０５）とする。したがって、例えば、第四のフランジ５０の軸長さ（ｆｌｅｎｇｔｈ）はｅ＾（−ｎ４＊β）と等しくなる。この関係を用いることで、フランジ５０および切り込み７０のあらゆる数を持つあらゆる長さの導波路は、均一な配光を生み出すこととなり得る。
【００２１】
もちろん、ある実施形態では、フランジ５０の少なくともいくつかの軸長さ（ｆｌｅｎｇｔｈ）およびフランジ５０の少なくともいくつかの径方向深さ（ｆｄｅｐｔｈ）の両方が、複数の異なるパターンおよび配光を生み出すために変化し得る。
【００２２】
望ましい照明パターンの例は、商業用の車両（例えば車両１０）に要求されるパターンを含む。例えば、８０インチより大きな幅を有する車両には、政府規制に従い５つのランプが必要となるかもしれない。５つのランプとは、例えば、ウインドシールドの上方で車両１０の中心線のより近くにある３つの識別灯と、３つのランプから離れて運転手側と助手席側のドアのより近くにある２つのクリアランスランプである。このような配置の例は、図１で示される。５つのランプの間には、装飾的または美的価値を付加させるために、より小さな照明の領域があってもよい。この配置は、単一の照明エンジンおよび単一の導波路（例えばエンジン２２および導波路１２）を用いることで導入され得る。導波路１２の散乱フランジ５０は、政府規制のランプに相当する５つの領域の中で、より多くの光を十分に散乱させるために構成され得る。加えて、散乱フランジは、その間の美的領域に略均等な外観を有するように構成され得る。もちろん、これはあくまでも一例であり、他の配置も可能である。
【００２３】
他の実施形態では、導波路の断面形状が異なり得る。例えば、図４は、円形の切断面を図示する。しかしながら、楕円、キノコ型などを含むの他の形状でも可能である。
【００２４】
導波路アセンブリ２０の動作中において、動力付きの照明エンジン２２は、光源２４を介して導波路１２に光を供給し得る。光は遠位端５６の方向に最初に伝播して導波路本体３６の近位端５４を介して受け取られ得る。光線７８は、導波路の一つまたは複数の内部表面８０、または導波路の一つまたは複数の外部表面８２で反射し得る（図７を参照）。これらの光線７８の一部は、導波路から出て（例えば、フランジを通り抜けて）、その後、すぐ近くのフランジ５０に、変えられた角度で再び入る。その角度は、２つの媒体（少数の例を挙げると、空気およびプラスチック、または空気およびガラス）の屈折率の差に基づく。一例において、光線７８は、フランジ表面６２と一致する内部表面８０の一部に反射してもよく、その後、（上側）長手方向側４２を通って径方向外側に向けられ得る。加えて、反射した光線７８は、導波路側４２から出て分岐するように、表面８０で散乱し得る。フランジ表面６２の傾斜角度（θ）に基づき、表面８０に照射する光線のより多くが、前方向（遠位端５６に向かう）よりも後方向（近位端５４に向かう）に反射する。表面８０で反射する光線７８の散乱（または後方散乱）の効果は、近位端５４方向に向けられる光線７８の大部分にさらに寄与し得る。また、ある実施形態では、フランジ５０の湾曲は、望ましい均一性またはパターンを与えるために、光線７８を散乱させるように構成され得る。
【００２５】
図７は、レイトレーシングソフトウェア（例えばＳＰＥОＳ（登録商標））を用いてモデル化された、導波路１２の近位端５４に伝達された１０本の光線を示す。散乱フランジ５０の配置が、後方向、すなわち最初の伝播の方向とは反対方向に反射および／または散乱された光線７８の５０％以上をもたらすことを証明するために光線７８がトレースされる。より具体的には、１０本の光線７８のうち６本は、少なくとも部分的に近位端５４に向けられており、残りの４本は少なくとも部分的に遠位端５６に向けられている。当業者は、より多くの光線が導波路１２を通り得ること、および導波路の機能を図示するために１０本の光線のみが示されていることを、理解するであろう。
【００２６】
図８および９は、散乱フランジ５０のうちの一つからの反射および／または散乱を図示する。図８と図９の主な違いは、図８はフランジ５０の間にある切り込み７０が真っ直ぐであることを示す一方、図９はフランジ５０の間にある切り込み７０が湾曲していることを示しているということである。したがって、図８（真っ直ぐなフランジ５０を示す）の傾斜角度（θ）は、フランジの遠位領域９０とその近位領域９２との間は一定であり得る。しかしながら、図９（湾曲したフランジ５０を示す）では、傾斜角度（θ）は、近位領域および遠位領域９０、９２の間のフランジの湾曲と共に変化する。つまり、図９では、傾斜角度（θ）は面６２の湾曲に対する接線およびｚ軸によって形成される角度である。図８および図９ではともに、１本または複数の光線は、フランジ５０の内部表面８０に反射し、最終的に導波路本体３６の外側（長手方向側４２において）に向けられるように示される。
【００２７】
図８および図９はまた、多くの角度を示す。角度Ａ（角度Ａ１と角度Ａ２とからなる）、角度Ｂ、出口角度プサイ（ψ）、および先に述べた傾斜角度（θ）である。出口角度プサイ（ψ）は、長手方向側４２の法線との相関で測られる角度であり、ある実施形態によれば、角度プサイ（ψ）または角度プサイ（ψ）の範囲は、傾斜θの値に基づいて選択されることが可能である。具体的には、ψ＝ｓｉｎ−１［ｘ＊ｓｉｎ（９０−２*θ）］、ここで、ｘは導波路１２の本体３６に関連する屈折率であり、空気が第二媒体である（ψ、θおよび９０は、度の単位を持つ）。角度Ａおよび角度Ｂは、傾斜角度（θ）の値に基づいて計算されることが可能である。具体的には、角度Ａ＝Ａ１＋Ａ２、ここでＡ１＝Ａ２＝（９０−θ）、角度Ｂ＝（９０−２＊θ）である。したがって、プサイ（ψ）の値の望ましい範囲は、傾斜（θ）の値を決定することにより定められることができ、その望ましい範囲は、長手方向側４２からの光の望ましい速さまたは分布と一致するであろう。
【００２８】
図９から、２本の光線は、内部表面８０に反射し、本体３６から出るように示されていることが観察されるだろう。２本の光線は、１本はフランジ５０の遠位領域９０内、もう１本はフランジの近位領域９２内にある。異なるθの値が、光源に対して前方または後方に投射する光線をもたらすということが観察されるだろう。さらに、少なくとも一つの実施形態で、側（例えば６０、６２）の湾曲を制御することにより、光線の大部分がどちらかといえば後方に向けられ得ることが観察されるだろう。これは、フランジ５０の湾曲が放射状に近似するとき（図２、３および９に示す）に特によく当てはまる。
【００２９】
さらに、内部表面８０で反射して本体３６を出る光もまた分岐または散乱し得ることも理解できるだろう。この散乱の効果の寄与は後方向に向けられる光の大部分にさらに寄与する。
【００３０】
図１０〜１２は、本明細書に記載される導波路１２のある実施形態の特性を図示する。図１０は、テスト装置である導波路♯１、導波路♯２および導波路♯３を用いて作成された特性比較図表を示す。独立軸は、導波路１２内で伝播された光の反射および／または散乱の指向性を示す（たとえば、後方向および前方向）（すなわち、−５０°から＋５０°まで、０°は長手方向側４２に対する法線の方向である）。従属軸は、相対強度または照度の大きさ（ｌｕｘ）を図示する。導波路♯１は、光を散乱するために、本体３６の長手方向側３８（下側）上に粗いまたは不均一な表面を有する導波路であり、この粗面はフランジを含まなかった。導波路♯２は、上記で述べたように、平らまたは真っ直ぐなフランジ５０を有していた。そして、導波路♯３は、湾曲したフランジ５０（例えば、上記で述べたように、凸側および凹側６０、６２を有する）を有していた。チャートデータにより、相対的に評価すると、導波路♯１は後方向には感知できるほどの散乱は示さず、さらに、前方向および後方向への散乱は導波路♯２および導波路♯３のそれよりも実質的に少ない。導波路♯２は、約−１６°（後方向）および＋１２°（前方向）の２つのピークにおいて、顕著な散乱を示した。そして、導波路♯３は、３つのテスト装置の中で最も大きなピークを有する約−５°の後方向で最大となった。
【００３１】
図１１および１２は、図１０において示される内容と同じ主題のいくつかを図示する。しかしながら、図１１および１２では、データは３次元（３−Ｄ）のフォーマットで表示されている（カンデラ（ｃｄ）で測定された相対強度。例えば、０〜１ｃｄ、１〜２ｃｄ、...、５〜６ｃｄ)。したがって、図１１は、上記で述べたように、−１６°および＋１２°の２つのピークを図示している。また、図１２は、約−５°で１つのピークを図示している。
【００３２】
したがって、図１０〜１２は、フランジ５０を有する導波路と共に後方の反射および／または散乱を図示する。加えて、図２、３および６に示されるような湾曲したフランジは、後方向で最も大きな照明を提供する。
【００３３】
このように、照明エンジンと結合可能な導波路を説明してきた。導波路は、平らまたは湾曲した一つの長手方向側に複数のフランジを有する。加えて、フランジの容量および向きは、後方向すなわち最初の伝播の反対方向に、照明エンジンによって導波路内へ投射される十分な量の光を反射および／または散乱するように、好適に構成され得る。フランジは、均一な配光の領域またはあらゆる好適な配光パターンを提供するために、事前に構成され得る。
【００３４】
前述の説明は、本発明の一つまたは複数のより好ましい例示の実施形態の説明であることが理解される。本発明は、本明細書に記載した特定の実施形態には限定されないが、むしろ以下の請求項により規定される。さらに、前述の説明に含まれる記述は、特定の実施形態に関連する。また、前述の説明に含まれる記述は、上記で用語または表現が明確に定義されている場合を除き、本発明の範囲または請求項で使われる用語の定義を限定するとして解釈されるべきではない。様々な他の実施形態並びに開示の実施形態に対する様々な変更や修正は、当業者にとって明らかになるだろう。このような他の実施形態、変更および修正のすべては、添付の請求項の範囲に近づくことを目的としている。
【００３５】
この明細書および請求項の中で用いられる、１または２以上の要素または他の用語のリストと共に使用される際の、「例えば」、「例として」、「例えば〜など」および「このような」という用語並びに動詞「備える」、「有する」、「含む」およびその他の動詞の形態は、それぞれ、オープンエンドとして解釈されるべきであり、オープンエンドは、リストが他の追加の要素または事項を排除するものとしては考慮されるべきではないということを意味としている。他の用語が別の解釈を要求する文脈で用いられない限り、他の単語は、もっとも広義で合理的な意味を用いて解釈されるべきである。
【図１】
2017528892.tif 000003
【図２】
2017528892.tif 000004
【図３】
2017528892.tif 000005
【図４】
2017528892.tif 000006
【図５】
2017528892.tif 000007
【図６】
2017528892.tif 000008
【図７】
2017528892.tif 000009
【図８】
2017528892.tif 000010
【図９】
2017528892.tif 000011
【図１０】
2017528892.tif 000012
【図１１】
2017528892.tif 000013
【図１２】
2017528892.tif 000014
【国際調査報告】
2017528892.tif 000015
2017528892.tif 000016
2017528892.tif 000017
2017528892.tif 000018